(57)【要約】      （修正有）【課題】クライアント端末から通信ネットワークを介してアクセス可能なサーバー装置の構成ファイルをサーバー装置のインターネット網への接続回線に応じて変更する方法を提供。【解決手段】クライアント端末からインターネット網への接続回線の種別情報が通信ネットワークを介してサーバー装置に入力されるステップ，サーバー装置がインターネット網への接続回線の種別情報に基づいて，外部記憶装置に記憶された，回線の種別に応じた圧縮形式の回線別構成ファイルを取得するステップ，サーバー装置が前記圧縮形式の回線別構成ファイルを外部記憶装置の所定のディレクトリ下に展開し，所定のファイル構成を作成するステップ，前記所定のファイル構成の作成が完了したことを通信ネットワークを介してクライアント端末へ送出するステップとからなるサーバー装置のファイル構成変更方法を提供する。【選択図】図１
2004213212.tif 000002
【特許請求の範囲】
【請求項１】
クライアント端末から通信ネットワークを介してアクセス可能なサーバー装置の構成ファイルをサーバー装置のインターネット網への接続回線に応じて変更する方法において，
クライアント端末からインターネット網への接続回線の種別情報が通信ネットワークを介してサーバー装置に入力されるステップ，
サーバー装置がインターネット網への接続回線の種別情報に基づいて，圧縮形式で回線の種別毎に構成され，外部記憶装置に記憶された回線別構成ファイルを取得するステップ，
サーバー装置が該圧縮形式の回線別構成ファイルを外部記憶装置の所定のディレクトリ下に展開し，所定のファイル構成を作成するステップ，
前記所定のファイル構成の作成が完了したことを通信ネットワークを介してクライアント端末へ送出するステップとからなるサーバー装置のファイル構成変更方法。
【請求項２】
ファイル構成の変更の回数には制限を設けないことを特徴とした請求項１記載のサーバー装置のファイル構成変更方法。
【発明の詳細な説明】
【０００１】
【発明の属する技術分野】本発明は，自宅，工場や倉庫，オフィスなどに設置したローカルエリアネットワーク（ＬＡＮ）に接続された機器の情報，例えばネットワークカメラの画像データや，電力測定器の電力データ，電気機器のＯＮ−ＯＦＦ状態データなどの所定の情報を，ＬＡＮやインターネット網等の通信ネットワークを介してアクセスが可能なクライアント端末に伝送したり，クライアント端末から前記ネットワークに接続された機器の操作を行うことが可能な情報監視制御システムにおいて，システムを担うサーバー装置からクライアント端末に提供するためのファイル構成を，該システムとインターネット網との接続回線に応じて，該接続回線種別に適したファイル構成となるように変更する技術に関するものである。
【従来の技術】
【０００２】従来，インターネット網を介して，所定のＬＡＮに接続された機器のデータを取得したり該機器を操作することのできる情報監視制御システムにおいて，システムを担うサーバー装置のファイル構成は，該システムのインターネット網への接続回線種別に応じて予め所定の構成に固定されていた。即ち，インターネット網への接続回線が異なる場合には，それぞれに適したファイル構成で構成された複数のサーバー装置が存在していた。
【０００３】特許文献１には従来のシステムを示しているが，この中で示されている家庭内サーバーは，サーバー装置のインターネット網への接続回線に適したファイル構成を予め有している。特許文献１のシステムで用いるサーバー装置は，不特定多数のクライアント端末に向けて情報を提供する用途ではなく，システムに関係のある特定のクライアント端末に向けて情報を提供するものである。システムに接続可能なクライアント端末の情報は予めシステムに登録されており，アクセスの際には認証を経た上でシステムへのアクセスが許可されるものである。
【０００４】インターネット網への接続回線はシステムのおかれる環境によって変わるものであるため，利用環境に応じたコンテンツ，即ちインターネット網への接続回線種別に適したファイル構成にて構成されている必要があった。
【０００５】システムが属するＬＡＮとインターネット網との接続回線には，（Ａ）接続の都度モデムによりダイヤルアップを行う従量課金制のアナログ形態，（Ｂ）接続の都度モデムによりダイヤルアップを行う従量課金制のＩＳＤＮ形態，（Ｃ）定額料金制で常時接続タイプのＩＳＤＮ形態等のナローバンドタイプと，（Ｄ）ＡＤＳＬやＶＤＳＬ等のＤＳＬ形態，（Ｅ）光ファイバーによる接続を行うＦＴＴＨ形態，（Ｆ）ケーブルテレビを用いたＣＡＴＶ形態，等の常時接続であるブロードバンドタイプなどがある。
【０００６】まず，（Ａ）の接続の都度モデムによりダイヤルアップを行う従量課金制のアナログ形態，及び（Ｂ）のＩＳＤＮ形態においては，接続時間に応じて通信料金が加算され，しかも通信速度が通常６４ｋｂｐｓ，最高でも１２８ｋｂｐｓであるナローバンドであるために，できるだけサーバー装置からクライアント端末に向けての提供ファイルサイズを小さく，即ちクライアント端末の画面表示データを少なくして，スムーズな表示が行えるよう提供ファイルを設ける必要がある。また，状況に応じて動的に提供ファイルを生成するプログラムもナローバンドに合わせるように最適化が必要である。
【０００７】また，インターネット網側からクライアント端末によるアクセスがあるときのみ，ダイヤルアップを行い情報を提供するといったアクセスのしくみが必要となる。
【０００８】また，画像データは静止画像によるデータ形式の提供を行い，通信速度が遅い状態でもスムーズな表示，更新が行えるよう画像サイズ，及び画質をカスタマイズする必要がある。（Ａ）や（Ｂ）の形態においては，このような点に注意しサーバー装置の構成ファイルを構成しておく必要があった。
【０００９】次に，（Ｃ）の定額料金制の常時接続タイプのＩＳＤＮ形態においては，ナローバンドではあるが，接続時間にかかわらず通信料金は一定であるため，例えば画像データは，静止画像によるデータ形式と，動画像によるデータ形式の両方で提供を行う。従量課金制ではないため，常時インターネット網に接続を行っておき，クライアント端末からアクセスがある場合には即座に情報の提供を可能とする。また，先と同様に，状況に応じて動的に提供ファイルを生成するプログラムもナローバンドに合わせるように最適化が必要である。
【００１０】通信速度には制限があるため，動画像データは低ビットレートで，なおかつ小さな表示サイズによるデータ提供を行いスムーズな表示となるよう構成ファイル中のプログラムをカスタマイズする必要がある。（Ｃ）の形態においては，このような点に注意しサーバー装置の構成ファイルを構成しておく必要があった。
【００１１】（Ｄ），（Ｅ），（Ｆ）においては，常時接続であり，しかも通信速度が速く，ＩＳＤＮと比較して，１００〜１５００倍のデータ転送が行えるため，クライアント端末へは膨大なデータを提供することが可能である。そのためクライアント端末へ送出するデータは，動的コンテンツを豊富に盛り込んだデータとし，動画像データにおいても，高ビットレートでなおかつ大きな表示サイズで提供を行い，高画質の表示が行えるよう構成ファイル中のプログラムををカスタマイズする必要がある。また，先と同様に，状況に応じて動的に提供ファイルを生成するプログラムもブロードバンドに合わせるように最適化が必要である。（Ｄ），（Ｅ），（Ｆ）の形態においては，このような点に考慮してサーバー装置の構成ファイルを構成しておく必要があった。
【００１２】このように情報監視制御システムにおけるサーバー装置は，クライアント端末への提供ファイルを種々のインターネット網への接続回線種別に応じて所定のファイル構成を予め記憶装置に有していた。
【００１３】そのため，情報監視制御システムのインターネット網への接続回線種別が変更になった場合，例えば，（Ａ）のダイヤルアップ接続方式から（Ｄ）のブロードバンド方式への変更があった場合などには，該システムを担うサーバー装置を，変更後の回線種別に適した構成ファイルを記憶させたサーバー装置に取り替える措置が必要であった。または，目的のインターネット網への接続回線種別に対応したファイルを各々外部のクライアント端末からサーバーの記憶装置に書き込む必要があった。
【００１４】これは，システムを一時的にダウンさせる意味を持ち，その間の情報収集は停止する。停止することが望ましくないシステムの場合には大きな損害を被ることになる。復旧には大きなコストがかかる。利用者にとっては長時間システムの利用が行えなくなるなど不利益があった。このようにインターネット網への接続回線の変更にともない，大幅なシステムへの介入が必要になり安定したシステムの継続的運用が行えないという問題があった。
【００１５】また，サーバー装置の提供者側にとっては，インターネット網への接続回線の種別に応じた複数種類のサーバー装置を製造する必要があり，在庫管理や，発注形態が複雑になり，小ロット生産が必要になるなどコストがかかるという問題があった。
【００１６】また，インターネット網への接続回線の変更に伴うシステム停止によりその間のデータが収集不可能となる場合の保証問題等の対処が生じ，安定継続したサーバー装置の提供が行えないといった問題があった。
【００１７】このように従来のサーバー装置においては，インターネット網への接続回線の変更時には使用者側，装置の提供者側双方に多大な不利益が生ずるという問題があった。
【００１８】
【特許文献１】特開２００１−１７５９７５号公報（第１図）
【００１９】
【発明が解決しようとする課題】
そこで本件発明は，情報監視制御システムにおいて同一のサーバー装置を使用し，システムを担うサーバー装置のインターネット網への接続回線種別を変更する場合，クライアント端末から接続回線種別を選択指示することで，情報監視制御システムにおけるサーバー装置のファイル構成を接続回線種別に合わせてシステム利用開始後においても変更が可能で，即ち情報監視制御システムから目的のインターネット網への接続回線種別に応じて適したファイル提供を行うことが可能であり，装置の提供者はインターネット網への接続回線種別毎の情報監視制御システムにおけるサーバー装置を用意しなくともよいコストの低い情報監視制御システムにおけるサーバー装置を提供可能なサーバー装置のファイル構成の変更方法を提供することを目的としている。
【００２０】
【課題を解決するための手段】
上記の課題を解決するため，本件発明の請求項１では，クライアント端末から通信ネットワークを介してアクセス可能なサーバー装置の構成ファイルをサーバー装置のインターネット網への接続回線に応じて変更する方法において，クライアント端末からインターネット網への接続回線の種別情報が通信ネットワークを介してサーバー装置に入力されるステップ，サーバー装置がインターネット網への接続回線の種別情報に基づいて，圧縮形式で回線の種別毎に構成され，外部記憶装置に記憶された回線別構成ファイルを取得するステップ，サーバー装置が前記圧縮形式の回線別構成ファイルを外部記憶装置の所定のディレクトリ下に展開し，所定のファイル構成を作成するステップ，前記所定のファイル構成の作成が完了したことを通信ネットワークを介してクライアント端末へ送出するステップとからなるサーバー装置のファイル構成変更方法を提供したものである。
【００２１】請求項２では，ファイル構成の変更の回数には制限を設けないことを特徴として請求項１記載のサーバー装置のファイル構成変更方法を提供したものである。
【００２２】
【発明の実施の形態】
次に本件発明の実施例を図面を用いて詳細に示す。図１は，情報監視制御システムのブロック構成図を示したものである。情報監視制御システムは，図中点線内で示したＬＡＮ１００内に接続されたネットワーク機器の所定の情報データを，ＬＡＮもしくはインターネット網２００を介して，クライアント端末３００及びＬＡＮ内のクライアント端末１３０によって監視及び制御可能なシステムである。
【００２３】図において１１０はサーバー装置である。サーバー装置１１０は，データ処理を行う中央演算処理装置１１０１と，計算処理を行う作業領域である主記憶装置１１０２と，サーバー装置を動作させるためのオペレーティングシステム（ＯＳ），サーバーソフトウエア，設定ファイル，提供ファイル等が記憶されている外部記憶装置１１０３を含んで構成されている。
【００２４】１０１はゲートウエイである。ゲートウエイ１０１はＬＡＮ１００とインターネット網２００の接続中継を行うものである。本実施例ではゲートウエイ１０１に一般的なルーターを用いており，インターネット網からの接続要求が正しい場合にシステム内へのアクセスを可能としている。
【００２５】１２１はカメラ端末である。カメラ端末１２１は画像撮像手段を有しており，サーバー装置１１０からの要求に応じて撮像した画像データを送出する。実施例ではネットワーク接続機能を有したネットワークカメラを用いている。
【００２６】１２２は電力測定端末である。電力測定端末１２２は電路を流れる電流と電圧を測定することにより内部回路に設けられた演算手段（図示しない）により，電力量データ，消費電力データを生成し，電力測定端末１２２をネットワークに接続するための通信プロトコル変換機（図示しない）を介してサーバー装置１１０に向けて送出する。
【００２７】１２３ａ，１２３ｎは機器制御端末である。機器制御端末１２３ａ，１２３ｎは演算手段とリレー回路（図示しない）を含んで構成されており，サーバー装置１１０からの制御信号により，機器制御端末１２３ａ，１２３ｎに接続された負荷機器の電源の入切制御を行ったり，負荷機器の動作状態を監視したり，使用電流データの取得等を行うものである。
【００２８】また，１３０はＬＡＮ内に設置されたクライアント端末である。本実施例ではクライアント端末はＷｅｂブラウザを搭載した一般的なパソコン，ＰＤＡ等のＷｅｂブラウザを搭載したＬＡＮに接続可能なネットワーク端末を用いている。クライアント端末１３０はゲートウエイ１０１を経由してインターネット網に接続が可能となっている。
【００２９】これらＬＡＮ１００内のゲートウエイ１０１，サーバー装置１１０，カメラ端末１２１，電力測定端末１２２，機器制御端末１２３ａ，１２３ｎ，クライアント端末１３０は各々ＬＡＮ形態の通信ネットワークに接続されており，相互にＴＣＰ／ＩＰによる通信が可能である。
【００３０】また，ＬＡＮの外にあるクライアント端末３００には，Ｗｅｂブラウザを搭載したインターネット網に接続可能なパソコン，ＰＤＡ，携帯電話等を用いており，これらの機器からインターネット網経由で情報監視制御システムの属するＬＡＮ内にアクセスを行い，カメラ画像データや，電力量データ，消費電力データを閲覧したり，負荷機器の入切制御を行ったり，動作状態監視等を行うことを可能としている。
【００３１】さて，サーバー装置１１０の外部記憶装置１１０３にはサーバー装置が動作するための種々のソフトウエアが記憶されている。外部記憶装置１１０３のファイル構成を図２に示している。本システムはＵＮＩＸ（登録商標）系のＯＳで動作しており，ルートシステム領域２０１，コマンド領域２０２，設定ファイル領域２０３，ユーザーデータ領域２０４，提供ファイル領域２０５等に予め分けられている。
【００３２】これらの中で，設定ファイル領域２０３にはインターネット網への接続回線の種別に応じた適切な提供ファイル群をひとまとめにして圧縮を行ったｔｇｚ形式の圧縮形式の回線別構成ファイル２０３１が記憶されている。
【００３３】圧縮形式の回線別構成ファイル２０３１は先に述べた，（Ａ）接続の都度モデムによりダイヤルアップを行う従量課金制のアナログ形態，（Ｂ）接続の都度モデムによりダイヤルアップを行う従量課金制のＩＳＤＮ形態，（Ｃ）定額料金制で常時接続タイプのＩＳＤＮ形態等のナローバンドタイプと，（Ｄ）ＡＤＳＬやＶＤＳＬ等のＤＳＬ形態，（Ｅ）光ファイバーによる接続を行うＦＴＴＨ形態，（Ｆ）ケーブルテレビを用いたＣＡＴＶ等の常時接続であるブロードバンドタイプ，に応じて複数記憶させておく。
【００３４】本実施例においては，インターネット網への接続回線の種別を，（Ａ），（Ｂ）の場合と，（Ｃ），（Ｄ），（Ｅ），（Ｆ）の場合と，大きく２つに分けて圧縮形式の回線別構成ファイル２０３１を記憶させてある。
【００３５】サーバーソフトウエアとしてはＷＷＷサーバーとＦＴＰサーバーを用いている。ＷＷＷサーバーは外部記憶装置１１０３中，提供ファイル領域２０５の中のサーバー構成ファイル領域１１０５に設けられたＨＴＭＬファイルや画像ファイルをクライアント端末からのリクエストにより提供したり，ＣＧＩプログラムにより提供ファイルを動的に生成しクライアント端末に提供する。
【００３６】ＦＴＰサーバーは所定の条件下でカメラ端末１２１からＦＴＰ転送された画像データを受信し，記憶装置の所定のデータ領域に記録する。記憶された前記画像データは，クライアント端末からの要求によりプログラムにより読み出され，クライアント端末の種別に応じて適切な画像サイズに変更したうえでＨＴＭＬファイルと共に送信される。
【００３７】本情報監視制御システムは，使用者により初回の立ち上げ時には同一ＬＡＮ１００内に通信ネットワークを介して接続されたクライアント端末１３０からのみ設定を可能としている。これは初回のシステム立ち上げ時には接続回線種別情報がシステムに登録されていないため，インターネット網２００への接続を行っていないためであることと，システムの使用にあたってはセキュリティの設定を行い認証ＩＤとパスワードを設定する必要があるためである。また，インターネット網２００側からシステムへアクセスを行うクライアント端末３００の情報を登録することで，不特定のクライアント端末からのシステム内へのアクセスを防止することを可能にしている。
【００３８】セキュリティの設定等，システムの設定が完了した後はゲートウエイ１０１を介してインターネット網２００への接続が可能となる。インターネット網へ接続した後には，先に予め登録を行ったクライアント端末３００からのシステム内へのアクセスを可能としている。これによりシステムの種々設定を前記クライアント端末３００と，ＬＡＮ１００内のクライアント端末１３０から行うことが可能である。
【００３９】次に情報監視制御システムの初回立ち上げ時を仮定した場合の説明を行う。
【００４０】クライアント端末１３０からサーバー装置１１０に向けてアクセスを行った場合，ＷＷＷサーバーはクライアント端末１３０に向けてインターネット網への接続回線種別の選択画面を表示するＨＴＭＬファイルを提供する。図５にはクライアント端末１３０に提供された接続回線種別の選択画面を示している。
【００４１】システムのインターネット網への接続形態が常時接続の形態の場合には「常時接続タイプで設定」と示されたボタンを押すことにより該接続形態を選択できる。また，システムのインターネット網への接続形態が都度ダイヤルアップの形態の場合には「ダイヤルアップで設定」と示されたボタンを押すことにより該接続形態を選択できる。
【００４２】図３にはインターネット網への接続回線の種別に応じて適切なファイル構成が形成される過程を表したフローチャートを示している。システムの初回起動時におけるフローを示している。また図２には外部記憶装置１１０３のファイル構成を示している。
【００４３】ステップＳ１は，ＷＷＷサーバーによるクライアント端末１３０への初期画面の表示である。初回電源投入時または工場出荷時の設定状態においては，サーバー装置１１０に搭載されるサーバーソフトウエアはクライアント端末１３０から接続要求データを受信すると，外部記憶装置１１０３の提供ファイル領域２０５のサーバー構成ファイル領域１１０５から初期場面を構成するＨＴＭＬファイル及び画像ファイルを読み込み，クライアント端末１３０に向けて送信する。クライアント端末１３０のＷｅｂブラウザに表示される初期画面の表示例は先に示した図５のとおりである。初期表示画面には情報監視制御システムのインターネット網への接続形態の選択手段が設けられており，択一的に選択を行うことが可能であり，選択された場合には該当するインターネット網への接続回線の種別情報をサーバー装置１１０に向けて送信する。
【００４４】ステップＳ２は前記初期画面における接続回線の種別情報をサーバー装置１１０が受信するステップである。インターネット網への接続形態がＷｅｂブラウザに表示される初期画面から選択された場合，クライアント端末１３０のＷｅｂブラウザからサーバー装置１１０に向けて接続回線の種別情報がＰＯＳＴメソッドにてエンコードされた形式でサーバーに入力される。プログラムの作成方法によってはＧＥＴメソッドでもよい。
【００４５】ステップＳ３はサーバーが通信回線種別情報から接続方式の判断を行うステップである。サーバーはエンコードされた接続回線の種別情報を受信し，デコード処理を行う。これによりエンコードされたデータから情報監視制御システムの属するＬＡＮのインターネット網への接続形態を判別する。判断結果が常時接続形態であった場合にはステップＳ４に進む。判断結果が都度ダイヤルアップの形態であった場合にはステップＳ５に進む。
【００４６】ステップＳ４は前記判断結果が常時接続形態であった場合の処理を示している。この場合，サーバーは常時接続環境に適した圧縮形式の回線別構成ファイルを設定ファイル領域２０３から読み出す。そしてステップＳ６に移行する。
【００４７】ステップＳ６は前記常時接続環境に適した圧縮形式の回線別構成ファイルを提供ファイル領域のｈｔｔｐｄディレクトリ以下に展開し，所定のファイル構成を作成する。このとき，ＣＧＩプログラムが正常に動作するようディレクトリ及びファイルのアクセス権限も合わせて適切に設定される。この後，ステップＳ８に移行する。
【００４８】さて，ステップＳ５は，ステップＳ３における判断結果が都度ダイヤルアップ接続形態であった場合の処理を示している。この場合，サーバーは都度ダイヤルアップ接続環境に適した圧縮形式の回線別構成ファイルを設定ファイル領域２０３から読み出す。そしてステップＳ７に移行する。
【００４９】ステップＳ７は前記都度ダイヤルアップ接続環境に適した圧縮形式の回線別構成ファイルを提供ファイル領域のｈｔｔｐｄディレクトリ以下に展開し，所定のファイル構成を作成する。このとき，先と同様にＣＧＩプログラムが正常に動作するようディレクトリ及びファイルのアクセス権限も合わせて適切に設定される。この後，ステップＳ８に移行する。
【００５０】ステップＳ８はファイル構成が完了したことを通信ネットワークを介してクライアント端末へ送信するステップである。クライアント端末にはシステムのファイル構成の変更が完了した画面が表示される。
【００５１】次にシステムを一旦設定した後の２回目以降のサーバー構成ファイル変更作業において説明を行う。図４にはこの場合のフローチャートを示した。
【００５２】ステップＳ１１は，システム運用中にＷＷＷサーバーがクライアント端末１３０もしくはクライアント端末３００へ，インターネット網への接続回線の種別切り替え画面の表示を行うものである。サーバーは，システム運用中にクライアント端末１３０もしくはクライアント端末３００から接続形態の変更要求データを受信した場合，外部記憶装置１１０３の提供ファイル領域２０５から接続形態の変更画面を構成するＨＴＭＬファイル及び画像ファイルを読み込み，クライアント端末１３０に向けて送信する。図６にはこのシステム運用中の接続形態変更画面を示している。接続形態の変更画面には情報監視制御システムのインターネット網への接続形態の選択手段が設けられており，択一的に選択を行うことが可能であり，選択されたインターネット網への接続回線の種別情報をサーバー装置１１０に向けて送信する。
【００５３】ステップＳ２１は前記接続形態の変更画面における接続回線の種別情報をサーバー装置１１０が受信するステップである。クライアント端末にてインターネット網への接続形態がＷｅｂブラウザに表示される接続形態の変更画面から選択された場合，サーバー装置１１０に向けて接続回線の種別情報がＰＯＳＴメソッドにてエンコードされた形式でサーバーに入力される。プログラムの作成方法によってはＧＥＴメソッドでもよい。
【００５４】ステップＳ３１はサーバーが通信回線種別の情報から接続方式の判断を行うステップである。サーバーはエンコードされた接続回線の種別情報を受信し，デコード処理を行う。これによりエンコードされたデータから情報監視制御システムの属するＬＡＮのインターネット網への接続形態を判別する。判断結果が常時接続形態であった場合にはステップＳ４１に進む。判断結果が都度ダイヤルアップの形態であった場合にはステップＳ５１に進む。
【００５５】ステップＳ４１は前記判断結果が常時接続形態であった場合の処理を示している。この場合，サーバーは常時接続環境に適した圧縮形式の回線別構成ファイルを設定ファイル領域２０３から読み出す。そしてステップＳ６１に移行する。
【００５６】ステップＳ６１は前記常時接続環境に適した圧縮形式の回線別構成ファイルを提供ファイル領域のｈｔｔｐｄディレクトリ以下に展開し，所定のファイル構成を作成する。このとき，既に現在運用中のファイルがあるため，システムの設定ファイル（クライアント端末の情報等）を一旦ユーザーデータ領域２０４に退避させ，その上で，所定のファイル構成を作成する。作成後に，退避させておいた設定ファイルを適用し，システムの継続運用を行う。この後，ステップＳ８１に移行する。
【００５７】さて，ステップＳ５１は前記判断結果が都度ダイヤルアップ接続形態であった場合の処理を示している。この場合，サーバーは都度ダイヤルアップ接続環境に適した圧縮形式の回線別構成ファイルを設定ファイル領域２０３から読み出す。そしてステップＳ７１に移行する。
【００５８】ステップＳ７１は前記都度ダイヤルアップ接続環境に適した圧縮形式の回線別構成ファイルを提供ファイル領域のｈｔｔｐｄディレクトリ以下に展開し，所定のファイル構成を作成する。このとき，既に現在運用中のファイルがあるため，先と同様システムの設定ファイル（クライアント端末の情報等）を一旦ユーザーデータ領域２０４に退避させ，その上で，所定の構成ファイルを作成する。作成後に，退避させておいた設定ファイルを適用し，システムの継続運用を行う。この後，ステップＳ８１に移行する。
【００５９】ステップＳ８１はファイル構成が完了したことを通信ネットワークを介してクライアント端末へ送信するステップである。クライアント端末にはシステムのファイル構成の変更が完了した画面が表示される。
【００６０】本システムがインターネット網への接続を行っている場合には，登録済みのクライアント端末３００からもサーバー装置１１０にアクセスできることは先に述べているが，使用者の都合でサーバーのファイル構成を変えたい場合にはクライアント端末３００からもインターネット網への接続形態に応じたサーバー構成ファイルを変更することが可能である。
このため，サーバー装置の場所にかかわらず，インターネット網への接続回線の種別を変更したい場合にはいつでもシステム運用を止めることなく変更作業が可能である。
【００６１】サーバー構成ファイルの変更操作は，初回立ち上げ時のみならず，システムの運用開始後においても，使用者の接続形態により繰り返し行うことを可能としている。これにより誤った設定を行った場合にも種々の設定値を引き継いだまま，元の状態に復帰させることが可能である。また，システムの稼動の有無にかかわらず接続形態を変更することを可能としており，迅速なシステムの変更，構成を可能としている。
【００６２】本実施例においては，予めインターネット網への接続回線の種別に応じた圧縮されたサーバー構成ファイルを記憶装置に記憶させているが，プログラムにより，通信回線種別に応じた条件分岐処理を行い，提供ファイル領域２０５に記憶されているソースファイルを接続回線種別に応じて構成しなおす方式でもサーバー構成ファイルを作成可能であることを示しておく。具体的には，回線種別データに基づき，ある接続回線種別の場合には所定のルーチンを処理させ，別の通信回線種別の場合には他の所定のルーチンを処理させリアルタイムにソースコードを作成し，接続回線種別に適したファイルを新規に作成するという方法である。ただしこの場合にはファイル数の多さによってはサーバー装置の中央処理装置の能力によりリアルタイムでのファイル作成に時間がかかりタイムロスを生じることがある。使用者側に待ち時間が多少あっても認可される場合等には，新規に接続回線種別に適したファイルを作成する場合にのみ時間がかかることをクライアント端末への表示画面にて表示させ，システムの一時的待ち状態を示す方法がある。
【００６３】以上説明したように本発明における情報監視制御システムにおいては，クライアント端末のＷｅｂブラウザから，本システムのインターネット網への接続形態に応じたシステム態様にサーバーファイル構成の変更を行うことが可能なため，接続方式毎に応じて別々の情報監視制御装置１１０を用意しておく必要がない。
【００６４】また，情報監視制御システムの提供側では該システムの設置されるインターネット網への接続形態の種別に応じて情報監視制御装置をラインナップしておく必要がなく，在庫管理や，発注形態が一元化できるようになり，小ロット生産が必要になくなるなど管理コストが減少する。
【００６５】また，使用者側で情報監視制御システムのインターネット網への通信回線種別が変更になった場合においても，例えば，ＩＳＤＮのダイヤルアップ接続方式からより高速のブロードバンド方式への変更などには，該システムを取替え，もしくは該システムに含まれるサーバー装置を交換，もしくは目的のインターネット網への通信回線種別に対応したソフトウエアを外部からサーバーの記憶装置に書き込むといった大幅なシステムへの介入が不要になり，システムを一時的にダウンさせることがなくなる。また，システム停止に伴うその間のデータが収集不可能となるような利用者側への不利益がなくなり，使用者，装置の提供者双方に多大なコストダウンをもたらすことが可能となる。
【００６６】
【発明の効果】
以上のように本件発明によれば，情報監視制御システムにおいて同一のサーバー装置を使用し，使用者がインターネット網への通信回線種別を使用者の都合で変更したい場合，クライアント端末から接続形態を選択指示することで，情報監視制御システムにおけるサーバー装置の提供ファイル構成を通信回線種別に合わせて中途で変更が可能で，即ち情報監視制御システムから目的のインターネット網への接続回線種別に適したファイル提供を行うことが可能であり，装置の提供者はインターネット網への通信回線種別毎の情報監視制御システムにおけるサーバー装置を用意しなくともよいコストの低い情報監視制御システムにおけるサーバー装置を提供可能なサーバー装置の提供ファイル構成の変更方法と該サーバー装置を提供することが可能である。
【図面の簡単な説明】
【図１】情報監視制御システムのブロック構成図
【図２】外部記憶装置のファイル構成を示した図
【図３】サーバー構成ファイルの初回変更フローチャート
【図４】サーバー構成ファイルの２回目以降の変更フローチャート
【図５】初期表示画面を示す図
【図６】システム運用中の接続形態変更画面
【符号の説明】
１００  ＬＡＮ
１０１  ゲートウエイ
１１０  サーバー装置
１１０１  中央演算処理装置
１１０２  主記憶装置
１１０３  外部記憶装置
１１０５  サーバー構成ファイル領域
１２１  カメラ端末
１２２  電力測定端末
１２３ａ，１２３ｎ  機器制御端末
１３０  クライアント端末
２００  インターネット網
３００  クライアント端末
２０１  システム領域
２０２  コマンド領域
２０３  設定ファイル領域
２０３１  圧縮形式の回線別構成ファイル
２０４  ユーザーデータ領域
２０５  提供ファイル領域
【図１】
2004213212.tif 000003
【図２】
2004213212.tif 000004
【図３】
2004213212.tif 000005
【図４】
2004213212.tif 000006
【図５】
2004213212.tif 000007
【図６】
2004213212.tif 000008